(57)【要約】      （修正有）【課題】ユーザ音声に対する理解に基づいて、マルチメディアを再生する。【解決手段】マルチメディアを再生する方法２００は、ユーザから入力された音声再生要求を受信するステップと、音声再生要求から、予約再生タイミングと再生パラメータを抽出するステップと、再生パラメータに基づいて、マルチメディアリストを生成するステップと、現在のタイミングが予約再生タイミングを満たしていることに応答して、マルチメディアリストにおけるマルチメディアを再生するステップとを含む。当該方法により、再生されたマルチメディアの品質及び対応性を向上させることができる。【選択図】図２
2019091014.tif 000002
【特許請求の範囲】
【請求項１】
マルチメディアを再生するための方法であって、
ユーザから入力された音声再生要求を受信するステップと、
前記音声再生要求から、予約再生タイミングと再生パラメータを抽出するステップと、
前記再生パラメータに基いてマルチメディアリストを生成するステップと、
現在のタイミングが前記予約再生タイミングを満たしていることに応答して、前記マルチメディアリストにおけるマルチメディアを再生するステップと、
を含むことを特徴とする方法。
【請求項２】
前記予約再生タイミングは、マルチメディアのソート位置、再生時間及び再生シーンの少なくとも一つを含む、請求項１に記載の方法。
【請求項３】
前記再生パラメータは、マルチメディアのパラメータとして、名称、主な創作者、特定テーマのマルチメディアリスト、興味マルチメディアリスト、語種、スタイル、シーン、感情、主題の少なくとも一つを含む、請求項１に記載の方法。
【請求項４】
前記方法は、
前記音声再生要求に対する返答情報を音声でユーザへフィードバックするステップを更に含む請求項１に記載の方法。
【請求項５】
前記再生パラメータに基いて再生すべき曲リストを生成するステップは、
マルチメディアの時間的な熱度と、ユーザ画像と、ユーザの好みのフィードバックデータとの少なくとも一つ、及び前記再生パラメータに基いて再生すべき曲リストを生成することを含む請求項１に記載の方法。
【請求項６】
前記音声再生要求に対する返答情報を音声で前記ユーザへフィードバックするステップは、
マルチメディアリストの生成に応答して、コマンド情報を受け取ったことを音声でフィードバックするステップと、
前記音声再生要求から再生パラメータが抽出できなかったこと、或いは前記再生パラメータに基いて再生すべき曲リストが生成できなかったことの何れか一つに応答して、ユーザが関連の曲を見つけなかったことを音声でフィードバックするステップと、
マルチメディアミュージックライブラリに前記再生パラメータを満たしているマルチメディアバージョンがないことに応答して、前記ユーザから再生するように要求されたマルチメディアに版権がないことを音声でフィードバックするステップと、
のうちの少なくとも一つを含む請求項４に記載の方法。
【請求項７】
前記ユーザから入力された音声再生要求を受信するステップは、
ユーザから入力されたウェークアップコマンドを受信するステップと、
返答情報を音声でフィードバックし、ユーザから入力された音声再生要求を受信するステップとを含む請求項１に記載の方法。
【請求項８】
マルチメディアを再生するための装置であって、
ユーザから入力された音声再生要求を受信する受信ユニットと、
前記音声再生要求から、予約再生タイミングと再生パラメータを抽出する抽出ユニットと、
前記再生パラメータに基いてマルチメディアリストを生成する生成ユニットと、
現在のタイミングが前記予約再生タイミングを満たしていることに応答して、前記マルチメディアリストにおけるマルチメディアを再生する再生ユニットと、を備えることを特徴とする装置。
【請求項９】
前記抽出ユニットにより抽出された予約再生タイミングは、マルチメディアのソート位置、再生時間と再生シーンの少なくと一つを含む請求項８に記載の装置。
【請求項１０】
前記抽出ユニットにより抽出された前記再生パラメータは、マルチメディアのパラメータとして、名称、主な創作者、特定テーマのマルチメディアリスト、興味マルチメディアリスト、語種、スタイル、シーン、感情、主題の少なくとも一つを含む請求項８に記載の装置。
【請求項１１】
前記装置は、
前記音声再生要求に対する返答情報を音声でユーザへフィードバックするフィードバックユニットを更に備える請求項８に記載の装置。
【請求項１２】
前記生成ユニットは、更に、
マルチメディアの時間的な熱度と、ユーザ画像と、ユーザの好みのフィードバックデータとの少なくとも一つ、及び前記再生パラメータに基いて再生すべき曲リストを生成する請求項８に記載の装置。
【請求項１３】
前記フィードバックユニットは、更に、
マルチメディアリストの生成に応答して、コマンド情報を受け取ったことを音声でフィードバックし、
前記音声再生要求から再生パラメータが抽出できなかったこと、或いは前記再生パラメータに基いて再生すべき曲リストが生成できなかったことの何れか一つに応答して、ユーザが関連の曲を見つけなかったことを音声でフィードバックし、
マルチメディアミュージックライブラリに前記再生パラメータを満たしているマルチメディアバージョンがないことに応答して、前記ユーザから再生するように要求されたマルチメディアに版権がないことを音声でフィードバックすること、
のうちの少なくとも一つを行う請求項１２に記載の装置。
【請求項１４】
前記受信ユニットは、
ユーザから入力されたウェークアップコマンドを受信するウェークアップサブユニットと、
返答情報を音声でフィードバックするフィードバックサブユニットと、
ユーザから入力された音声再生要求を受信する受信サブユニットと、を備える請求項８に記載の装置。
【請求項１５】
一つ又は複数のプロセッサと、
一つ又は複数のプログラムが記憶されている記憶装置と、を備え、
前記一つ又は複数のプログラムが前記一つ又は複数のプロセッサにより実行されると、前記一つ又は複数のプロセッサに請求項１ないし請求項７の何れか一つに記載のマルチメディアを再生するための方法を実現させることを特徴とするデバイス。
【請求項１６】
コンピュータプログラムが記憶されており、当該プログラムがプロセッサにより実行されると、請求項１ないし請求項７の何れか一つに記載の前記マルチメディアを再生する方法を実現させるコンピュータ読取可能な記憶媒体。
【発明の詳細な説明】
【技術分野】
【０００１】
本出願は、コンピュータ技術分野に関し、具体的にコンピュータネットワーク技術分野に関し、特にマルチメディアを再生するための方法及び装置に関する。
【背景技術】
【０００２】
ネットワーク時代の到来に従って、益々多くのユーザが知能的なサービスを受ける傾向がある。視聴サービスを例として、人間は知能端末がユーザの音声入力を理解し、且つユーザ音声に対する理解に基づいてユーザへ幾つかの個性的な視聴サービスを提供できることを希望する。
【０００３】
現在に、知能端末による視聴音声の対話シーンにおいて、ユーザの音声入力に対し、端末がリアルタイムの検索、再生を満たすことができる。ユーザからの任意のリクエストのニーズについて、知能端末は現在の曲の再生状態を中止した後に、ユーザ音声に対する理解に基づいて現在に再生されているマルチメディアの内容を変更する。
【発明の開示】
【発明が解決しようとする課題】
【０００４】
本出願は、マルチメディアを再生するための方法及び装置を提供することを目的とする。
【０００５】
第一の局面として、本出願の実施形態はマルチメディアを再生する方法であって、ユーザから入力された音声再生要求を受信するステップと、音声再生要求から予約再生タイミングと再生パラメータを抽出するステップと、再生パラメータに基づいてマルチメディアリストを生成するステップと、現在のタイミングが予約再生タイミングを満たしていることに応答して、マルチメディアリストにおけるマルチメディアを再生するステップとを含む方法を提供する。
【０００６】
一部の実施形態において、予約再生タイミングは、マルチメディアのソート位置、再生時間及び再生シーンの少なくとも一つを含む。
【０００７】
一部の実施形態において、再生パラメータは、マルチメディアのパラメータとして、名称、主な創作者、特定テーマのマルチメディアリスト、興味マルチメディアリスト、語種、スタイル、シーン、感情、主題の少なくとも一つを含む。
【０００８】
一部の実施形態において、上記方法は、更に、音声再生要求に対する返答情報を音声でユーザへフィードバックするステップを含む。
【０００９】
一部の実施形態において、再生パラメータに基いて再生すべき曲リストを生成するステップは、マルチメディアの時間的な熱度と、ユーザ画像と、ユーザの好みのフィードバックデータとの少なくとも一つ、及び再生パラメータに基いて再生すべき曲リストを生成するステップを含む。
【００１０】
一部の実施形態において、音声再生要求に対する返答情報を音声でユーザへフィードバックするステップは、マルチメディアリストの生成に応答して、コマンド情報を受け取ったことを音声でフィードバックするステップと、音声再生要求から再生パラメータが抽出できなかったこと、或いは再生パラメータに基いて再生すべき曲リストが生成できなかったことの何れか一つに応答して、ユーザが関連の曲を見つけなかったことを音声でフィードバックするステップと、マルチメディアミュージックライブラリに再生パラメータを満たしているマルチメディアバージョンがないことに応答して、ユーザから再生するように要求されたマルチメディアに版権がないことを音声でフィードバックするステップと、のうちの少なくとも一つを含む。
【００１１】
一部の実施形態において、ユーザから入力された音声再生要求を受信するステップは、ユーザから入力されたウェークアップコマンドを受信するステップと、返答情報を音声でフィードバックするステップと、ユーザから入力される音声再生要求を受信するステップとを含む。
【００１２】
第二の局面として、本出願の実施形態は、マルチメディアを再生するための装置であって、ユーザから入力された音声再生要求を受信する受信ユニットと、音声再生要求から、予約再生タイミングと再生パラメータを抽出する抽出ユニットと、再生パラメータに基いてマルチメディアリストを生成する生成ユニットと、現在のタイミングが予約再生タイミングを満たしていることに応答して、マルチメディアリストにおけるマルチメディアを再生する再生ユニットと、を備える装置を提供する。
【００１３】
一部の実施形態において、抽出ユニットにより抽出された予約再生タイミングは、マルチメディアのソート位置、再生時間と再生シーンの少なくと一つを含む。
【００１４】
一部の実施形態において、抽出ユニットにより抽出された再生パラメータは、マルチメディアのパラメータとして、名称、主な創作者、特定テーマのマルチメディアリスト、興味マルチメディアリスト、語種、スタイル、シーン、感情、主題の少なくとも一つを含む。
【００１５】
一部の実施形態において、上記装置は、更に、音声再生要求に対する返答情報を音声でユーザへフィードバックするフィードバックユニットを備える。
【００１６】
一部の実施形態において、生成ユニットは、更に、マルチメディアの時間的な熱度と、ユーザ画像と、ユーザの好みのフィードバックデータとの少なくとも一つ、及び再生パラメータに基いて再生すべき曲リストを生成する。
【００１７】
一部の実施形態において、フィードバックユニットは、更に、マルチメディアリストの生成に応答して、コマンド情報を受け取ったことを音声でフィードバックし、音声再生要求から再生パラメータが抽出できなかったこと、或いは再生パラメータに基いて再生すべき曲リストが生成できなかったことの何れか一つに応答して、ユーザが関連の曲を見つけなかったことを音声でフィードバックし、マルチメディアミュージックライブラリに再生パラメータを満たしているマルチメディアバージョンがないことに応答して、ユーザから再生するように要求されたマルチメディアに版権がないことを音声でフィードバックすること、のうちの少なくとも一つを行う。
【００１８】
一部の実施形態において、受信ユニットは、ユーザから入力されたウェークアップコマンドを受信するウェークアップサブユニットと、返答情報を音声でフィードバックするフィードバックサブユニットと、ユーザから入力された音声再生要求を受信する受信サブユニットと、を備える。
【００１９】
第三の局面として、本出願の実施形態は、一つ又は複数のプロセッサと、一つ又は複数のプログラムが記憶されている記憶装置と、を備え、一つ又は複数のプログラムが一つ又は複数のプロセッサにより実行されると、一つ又は複数のプロセッサに前記何れか一つに記載のマルチメディアを再生するための方法を実現させるデバイスを提供する。
【００２０】
第四の局面として、本出願の実施形態は、コンピュータプログラムが記憶されており、当該プログラムがプロセッサにより実行されると、前記何れか一つに記載のマルチメディアを再生するための方法を実現させるコンピュータ読取可能な記憶媒体を提供する。
【００２１】
本出願の実施形態により提供されたマルチメディアを再生するための方法及び装置によれば、まず、ユーザから入力される音声再生要求を受信し、その後に音声再生要求から予約再生タイミングと再生パラメータを抽出し、その後に再生パラメータに基づいてマルチメディアリストを生成し、現在のタイミングが予約再生タイミングを満たしていることに応答して、マルチメディアリストにおけるマルチメディアを再生する。このような過程において、ユーザ音声により提出された再生要求に基づいて、予約再生タイミングでマルチメディアリストにおけるマルチメディアを再生することができるため、再生されたマルチメディアの正確度と対応性を向上させることができる。
【図面の簡単な説明】
【００２２】
以下の図面による非限定的な実施例についての詳細な説明を読み、参照することにより、本願の他の特徴、目的及び利点がより明らかになる。
【図１】本出願のテスト業務ロジックの方法又はテスト業務ロジックの装置を適用できる実施例の例示的なシステムアーキテクチャ図を示す。
【図２】本出願のマルチメディアを再生する方法による一つの実施例の例示的なフローチャートである。
【図３】本出願のマルチメディアを再生する方法による一つの応用シーンの例示的なフローチャートである。
【図４】本出願のマルチメディアを再生する装置による一つの実施例の例示的な構成図である。
【図５】本出願を実現するのに適する端末デバイス又はサーバのコンピュータシステムの構造の模式図である。
【発明を実施するための形態】
【００２３】
以下、図面と実施例を参照しながら、本願を詳細に説明する。ここで記載される具体的な実施例は、関連の発明を解釈するのみに用いられ、当該発明に対する限定ではないことは理解される。なお、説明の便宜上、図面には、関連の発明に関わる部分のみを示す。
【００２４】
なお、矛盾が生じない限り、本願における実施例及び実施例における特徴は互いに組み合わせることができるものとする。以下、図面を参照しながら、実施例を併せて本願を詳しく説明する。
【００２５】
図１は、本出願のマルチメディアを再生する方法或いはマルチメディアを再生する装置を適用できる実施例の例示的なシステムアーキテクチャ１００を示す。
【００２６】
図１に示されたように、システムアーキテクチャ１００は、端末デバイス１０１、１０２、１０３と、ネットワーク１０４と、サーバ１０５、１０６とを備えても良い。ネットワーク１０４は、端末デバイス１０１、１０２、１０３とサーバ１０５、１０６の間に通信リンクの媒体を提供する。ネットワーク１０４は、各種の接続タイプ、例えば有線、無線通信リンク又は光ファイバ、ケーブルなどを含んでも良い。
【００２７】
ユーザ１１０は、端末デバイス１０１、１０２、１０３を使用してネットワーク１０４を介してサーバ１０５、１０６とインタラクションしてメッセージなどを送受信することができる。端末デバイス１０１、１０２、１０３に例えば検索エンジン型のアプリ、買い物型のアプリ、即時通信ツール、メールボックスクライアント、交際プラットフォームソフトウェア、オーディオ、ビデオの再生型のアプリなど各種の通信クライアントアプリがインストールされても良い。
【００２８】
端末デバイス１０１、１０２、１０３は、ディスプレイを有する各種の電子デバイスであっても良く、スマートサウンドボックス、スマートフォーン、ウェアラブルデバイス、タブレット、電子書籍閲覧機、ＭＰ３プレーヤ（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ムービングピクチャエクスパーシグループオーディオレイヤー３）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、ムービングピクチャエクスパーシグループオーディオレイヤー４）プレーヤ、ノードパソコン及びディスクトップコンピュータなどを含むが、それらに限定されない。
【００２９】
サーバ１０５、１０６は、例えば端末デバイス１０１、１０２、１０３に対してサポートを提供するバックグラウンドサーバのような各種のサービスを提供するサーバであっても良い。バックグラウンドサーバは、端末のデータに対して解析又は演算などの処理を行い、解析又は演算の結果を端末デバイスにプッシュすることができる。
【００３０】
なお、本出願の実施例により提供されるマルチメディアを再生する方法は、一般的にサーバ１０５、１０６又は端末デバイス１０１、１０２、１０３により実行される。相応的に、マルチメディアを再生する装置は、一般的にサーバ１０５、１０６又は端末デバイス１０１、１０２、１０３に設置される。
【００３１】
理図１における端末デバイス、ネットワーク及びサーバの数は、模式的なものにすぎないことを理解すべきである。必要に応じて、任意の数の端末デバイス、ネットワーク及びサーバを備えても良い。
【００３２】
続いて、図２を参照する。図２は、本出願のマルチメディアを再生する方法による一つの実施例の例示的な手順を示す。
【００３３】
図２に示されたように、当該マルチメディアを再生する方法２００は以下のステップを含む。
【００３４】
ステップ２１０において、ユーザから入力された音声再生要求を受信する。
【００３５】
本実施例において、マルチメディアを再生する方法が運行される電子デバイス（例えば図１に示されたサーバ又は図１に示された端末デバイス）は、端末デバイスのマイクを介して、ユーザから入力される音声再生要求を受信することができる。ここで、音声再生要求は、端末デバイスにより再生されるマルチメディアを指示するように用いられる。マルチメディアの内容は、オーディオ内容、ビデオ内容、或いはオーディオ内容とビデオ内容の組み合わせであっても良い。
【００３６】
本実施例の複数のオプションとなる実施形態において、ユーザから入力された音声再生要求を受信することは、まず、ユーザから入力されるウェークアップコマンドを受信し、その後に返答情報を音声でフィードバックし且つユーザから入力される音声再生要求を受信することを含んでも良い。
【００３７】
マルチメディアがオーディオ内容における曲であることを例とする。端末デバイスは、ユーザの音声入力として、予め確定されたウェークアップコマンドである「Ａ君」を受信することができる。その後、端末デバイスは、ユーザに「はい！」を音声でフィードバックする。その後に、ユーザから音声再生要求として、「次の曲はＢＢのＣＣＣを再生する」を入力する。ここで、「次の曲」は再生タイミングであり、ＢＢとＣＣＣは何れも再生パラメータＢＢであり、ＢＢは歌手の名称、ＣＣＣは曲の名称である。
【００３８】
ステップ２２０において、音声再生要求から予約再生タイミングと再生パラメータを抽出する。
【００３９】
本実施例において、マルチメディアを再生する方法が運行される電子デバイスは、音声再生要求をテキストとして認識してからテキストについて語義の解析を行って音声再生要求に含まれる語義を取得し、その後に、語義から再生タイミング語義スロットにヒットした予約再生タイミング、及び再生パラメータ語義スロットにヒットした再生パラメータを抽出することができる。ここで、再生パラメータは、マルチメディアのパラメータ、例えばマルチメディア名称又はマルチメディアスタイルなどを選別するために用いられる。
【００４０】
本実施例の複数のオプションとなる実施形態において、予約再生タイミングは、マルチメディアのソート位置、再生時間、再生シーンの少なくとも一つを含んでも良い。
【００４１】
本実現方式において、マルチメディアのソート位置は、マルチメディアの現在の再生リストにおける位置、例えば「次の曲」、「２０目の曲」などを意味する。再生時間は、マルチメディアの再生時間、例えば「朝八時」、「夜十時」、「毎日の昼の一時」などを意味する。再生シーンは、マルチメディアを再生する必要のあるシーン、例えば車速、位置によるサービス、渋滞状況、距離状態、天気、ニュース、気分及び人ごみなどを意味し、具体的な例において、「私の眠気を気づいた時」、「渋滞時」、「雨の時」などであっても良い。
【００４２】
ここで、マルチメディアのソート位置と再生時間は、予約再生タイミングを明確に指示することができる。ここで、再生シーンは、ユーザから音声を入力し、例えばユーザから「Ａ君（端末デバイスの名称）、渋滞でいらいらするよ」を言い出し、或いは端末デバイスによりデバイスに採集されたデータに基づいて確定し、例えば端末デバイスに採集された画像、音声、脈拍などに基づいてユーザが眠気状態にあるか否かを確定し、端末デバイスの位置情報又は端末デバイスを集積する車メーカーに提供された位置によるサービスに基づいて現在に渋滞中であるかを確定し、インターネットに公開された天気予報及び現在の端末デバイスの位置情報に基づいて現在に雨が降っているかを確定するなど必要がある。
【００４３】
本実施例の複数のオプションとなる実施形態において、再生パラメータは、マルチメディアのパラメータとして、名称、主な創作者、特定テーマのマルチメディアリスト、興味マルチメディアリスト、語種、スタイル、シーン、感情、主題の何れか一つを含んでも良い。
【００４４】
本実現方式において、再生パラメータは、マルチメディアの名称、主な創作者、特定テーマのマルチメディアリスト、興味マルチメディアリスト、語種、スタイル、シーン、感情及び主題などを含んでも良い。
【００４５】
以下に、マルチメディアがオーディオにおける曲であることを例として説明する。再生パラメータにおけるマルチメディアの名称が曲名、主な創作者が歌手、詞の作者又は曲の作者、特定テーマのマルチメディアリストがアルバム、興味マルチメディアリストが曲リスト、語種が中国語、広東語、英語、日本語、韓国語、ドイツ語、フランス語、他の語種など、スタイルが流行歌、ロック、民謡、電子、ダンス、ラップ、軽音楽、ジャズ、カントリー、ソウルミュージック、クラシック、民族、イギリス、金属、パンク、ブルース、レゲエ、ラテン、オルタナ、新時代、古風、ポストロック、ニュースクールジャズなど、シーンが明け方、夜、学習、仕事、昼休み、アフタヌーンティー、地下鉄、運転、運動、旅行、散歩、バーなど、感情が懐旧、清新、ロマンチック、セクシー、感傷、癒し、リラックス、孤独、感動、興奮、愉快、安静、思念など、主題がオリジナルサウンド、アニメーション、キャンパス、ゲーム、７０後、８０後、９０後、ネットミュージック、ＫＴＶ、クラシック、カバー、ギター、ピアノ、器楽、児童、ランキング、００後などであっても良い。
【００４６】
ステップ２３０において、再生パラメータに基づいてマルチメディアリストを生成する。
【００４７】
本実施例において、音声再生要求から抽出された再生パラメータに基づいて、マルチメディアライブラリ又はネットワークデータから再生パラメータに該当するマルチメディアを抽出することができる。例えば、音声再生要求から抽出された再生パラメータが「英語」、「カントリー」及び「曲」である場合に、ミュージックライブラリから「英語」と「カントリー」を同時に満たしている曲を抽出して曲リストを生成することができる。
【００４８】
本実施例の複数のオプションとなる実施形態において、前記再生パラメータに基づいてマルチメディアリストを生成することは、更に、再生パラメータ、及び、マルチメディアの時間的な熱度、ユーザ画像、ユーザの好みのフィードバックデータの少なくとも一つに基づいて再生すべき曲リストを生成することを含んでも良い。
【００４９】
本実現方式において、ユーザ画像とユーザの好みのデータは何れもビッグデータ又はユーザの履歴対話データに基づいて得られる。ここでは、再生パラメータに基づくと共に、ユーザ画像及びユーザから入力される好みのフィードバックデータを参考することにより、ユーザの好みに一層合わせる個性的なマルチメディアリストを選別し、マルチメディアリストにおけるマルチメディアの対応性を向上させることができる。
【００５０】
ステップ２４０において、現在のタイミングが予約再生タイミングを満たしていることに応答して、マルチメディアリストにおけるマルチメディアを再生する。
【００５１】
本実施例において、端末デバイスにより現在の条件が予約再生タイミングを満たしていることがモニタリングされたことに応答して、端末デバイスのマイクを介してマルチメディアリストにおけるマルチメディアを再生することができる。例えば、音声再生要求から抽出された予約再生タイミングが「朝八時」である場合に、端末デバイスによりモニタリングされた現在の時間が朝八時になると、マルチメディアリストにおけるマルチメディアを再生することができる。
【００５２】
マルチメディアリストを再生する際に、当該マルチメディアリストを再生する前の歴史再生リストを保留することにより、ユーザから再生要求として「前の曲」が入力される時に履歴再生リストにおける内容に戻れるようにすることができる。
【００５３】
選択的に、ステップ２５０において、前記マルチメディアを再生する方法は、更に、ユーザに対して音声再生要求に対する返答情報を音声でフィードバックすることを含んでも良い。
【００５４】
本実現方式において、ユーザが端末デバイスのフィードバックを即時で便利に受信できるように、音声を採用してユーザの再生要求に返答することができる。例えば、ユーザの音声再生要求を受信し且つマルチメディアリストを生成した後に、ユーザへ「はい」をフィードバックしても良い。或いは、再生パラメータを抽出できなかった場合に、ユーザへ「ｓｏｒｒｙ、関連曲を見つけません」をフィードバックする。
【００５５】
本実施例の複数のオプションとなる実施形態において、前記ユーザに対して音声再生要求に対する返答情報を音声でフィードバックすることは、マルチメディアリストの生成に応答して、コマンド情報が受信されたことを音声でフィードバックし、音声再生要求から再生パラメータが抽出できなかったこと或いは再生パラメータに基づいて再生すべき曲リストが生成できなかったことの何れか一つに応答して、ユーザへ関連曲を見つけなかったように音声でフィードバックし、マルチメディアミュージックライブラリに再生パラメータを満たしているマルチメディアバージョンがないことに応答して、再生すると要求されたマルチメディアに版権がないことを音声でユーザへフィードバックすることを含む。
【００５６】
本実現方式において、マルチメディアリストの生成に応答して、ユーザへ返答情報が受信されたことを音声でフィードバックし、例えば「はい」、「問題なし」、「ＯＫ」などであっても良い。音声再生要求から再生パラメータを抽出できなかったことに応答して、ユーザへ関連曲を見つけなかったことを音声でフィードバックし、或いは再生パラメータに基づいて再生すべき曲リストを生成できなかったことに応答して、ユーザへ関連曲を見つけなかったことを音声でフィードバックすることができる。例えば、ユーザの音声再生要求における再生パラメータが「ＸＸの八里香」である場合に、マルチメディアライブラリに当該説明を満たしているマルチメディアがないため、「関連曲を見つけなかった」をフィードバックする。マルチメディアミュージックライブラリに再生パラメータを満たしているマルチメディアバージョンがないことに応答して、ユーザに対して再生するように要求されたマルチメディアに版権がないことを音声でフィードバックし、例えば、ユーザに対して「関連曲はまだ版権がない」をフィードバックする。
【００５７】
本出願の前記実施例により提供されたマルチメディアを再生する方法において、ユーザの音声再生要求に基づいて予約再生タイミングと再生パラメータを抽出し、予約再生タイミングで再生パラメータを満たしているマルチメディアを再生することにより、再生されたマルチメディアがユーザのニーズを一層満たしており、ユーザへ再生されるマルチメディアの正確性と対応性を向上せることができる。
【００５８】
以下に図３を参照して、本出願のマルチメディアを再生する方法の例示的な応用シーンを説明する。
【００５９】
図３に示されたように、図３は、本出願のマルチメディアを再生する方法による一つの応用シーンの例示的なフローチャートを示す。
【００６０】
図３に示されたように、マルチメディアを再生する方法３００は、スマートサウンドボックス３２０に運行され、以下のことを含むことができる。
【００６１】
まず、ユーザから入力された音声再生要求３０１「次にＡＢＣを再生する」を受信する。その後に、音声再生要求３０１「次の曲としてＡＢＣを再生する」から、予約再生タイミング３０２「次の曲」と再生パラメータ３０３「ＡＢＣ」を抽出する。その後に、再生パラメータ３０３「ＡＢＣ」に基づいて、シングル曲ＡＢＣ、カバーバージョンＡＢＣ及び類似の曲を含めるマルチメディアリスト３０４を生成する。最後に、現在のタイミングが現在の曲の再生の終了であり、予約再生タイミング３０２「次の曲」を満たしていることに応答して、マルチメディアリスト３０４におけるマルチメディア３０５を再生する。
【００６２】
理解すべきなのは、前記図３に示されたマルチメディアを再生する方法は、マルチメディアを再生する方法の例示的な実施例に過ぎず、本出願の実施例に対して制限するわけではない。例えば、現在のタイミングが予約再生タイミング３０２を満たしていることに応答して、マルチメディアリストにおけるマルチメディア３０５を再生した後に、ユーザに対して音声再生要求に対する返答情報を音声でフィードバックしても良い。また、例えば、再生パラメータに基づいて再生すべき曲リストを生成することは、マルチメディアの時間的な熱度、ユーザ画像、ユーザの好みのフィードバックデータの少なくとも一つ、及び再生パラメータに基づいて再生すべき曲リストを生成することを含んでも良い。
【００６３】
本出願の実施例の前記応用シーンにより提供されたマルチメディアを再生する方法によれば、再生されるマルチメディアの正確性と対応性を向上することができる。
【００６４】
更に図４を参照し、本出願は、前記方法の実現としてマルチメディアを再生する装置の一つの実施例を提供する。当該マルチメディアを再生する装置の実施例は図１〜図３に示されたマルチメディアを再生する方法の実施例に対応する。これにより、いままで図１〜図３におけるマルチメディアを再生する方法について説明された操作及び特徴は、マルチメディアを再生する装置４００及び備えられるユニットに同様に適用し、ここでは詳しく説明しない。
【００６５】
図４に示されたように、当該マルチメディアを再生する装置４００は、ユーザから入力される音声再生要求を受信するように用いられる受信ユニット４１０と、音声再生要求から予約再生タイミングと再生パラメータを抽出するように用いられる抽出ユニット４２０と、再生パラメータに基づいてマルチメディアリストを生成するように用いられる生成ユニット４３０と、現在のタイミングが予約再生タイミングを満たしていることに応答して、マルチメディアリストにおけるマルチメディアを再生するように用いられる再生ユニット４４０と、を備える。
【００６６】
一部の実施形態において、抽出ユニット４２０により抽出される予約再生タイミングは、マルチメディアのソート位置、再生時間、再生シーンの少なくとも一つを含む。
【００６７】
一部の実施形態において、抽出ユニット４２０により抽出される再生パラメータは、マルチメディアのパラメータとして、名称、主な創作者、特定テーマのマルチメディアリスト、興味マルチメディアリスト、語種、スタイル、シーン、感情、主題の少なくとも一つを含む。
【００６８】
一部の実施形態において、装置４００は更に、ユーザに対して音声再生要求に対する返答情報を音声でフィードバックするように用いられるフィードバックユニット４５０を備える。
【００６９】
一部の実施形態において、生成ユニット４３０は、更に、マルチメディアの時間的な熱度、ユーザ画像、ユーザの好みのフィードバックデータの少なくとも一つ、及び再生パラメータに基づいて、再生すべき曲リストを生成するように用いられる。
【００７０】
一部の実施形態において、フィードバックユニット４５０は、更に、マルチメディアリストの生成に応答して、コマンド情報を受信したことを音声でフィードバックすること、音声再生要求から再生パラメータを抽出できなかったこと、或いは再生パラメータに基づいて再生すべき曲リストを生成できなかったことの何れか一つに応答して、ユーザへ関連曲を見つけなかったことを音声でフィードバックすること、マルチメディアミュージックライブラリに再生パラメータを満たしているマルチメディアバージョンがないことに応答して、ユーザへ再生するように要求されたマルチメディアに版権がないことを音声でフィードバックすることの少なくとも一つを行うように用いられる。
【００７１】
一部の実施形態において、受信ユニット４１０は、ユーザから入力されるウェークアップコマンドを受信するように用いられるウェークアップサブユニット４１１と、返答情報を音声でフィードバックするように用いられるフィードバックサブユニット４１２と、ユーザから入力される音声再生要求を受信するように用いられる受信サブユニット４１３と、を備える。
【００７２】
本出願は更に、一つ又は複数のプロセッサと、一つ又は複数のプログラムを記憶する記憶装置とを備え、一つ又は複数のプログラムが一つ又は複数のプロセッサにより実行されると、一つ又は複数のプロセッサに上記の何れか一つに記載のマルチメディアを再生する方法を実現させるデバイスの実施例を提供する。
【００７３】
本出願は更に、コンピュータプログラムが記憶されており、当該プログラムがプロセッサにより実行されると、上記の何れか一つに記載のマルチメディアを再生する方法を実現させる、コンピュータに読取可能な記憶媒体の実施例を提供する。
【００７４】
以下に図５を参照する。図５は、本出願の実施例を実現するための端末デバイス又はサーバに適用するコンピュータシステム５００の構成模式図を示した。図５に示された端末デバイスが例示に過ぎず、本出願の実施例の機能及び適用範囲に制限しない。
【００７５】
図５に示されたように、コンピュータシステム５００は、読み出し専用メモリ（ＲＯＭ）５０２に記憶されているプログラム又は記憶部５０６からランダムアクセスメモリ（ＲＡＭ）５０３にロードされたプログラムに基づいて様々な適当な動作および処理を実行することができる中央処理装置（ＣＰＵ）５０１を備える。ＲＡＭ５０３には、システム５００の操作に必要な様々なプログラムおよびデータがさらに記憶されている。ＣＰＵ５０１、ＲＯＭ５０２およびＲＡＭ  ５０３は、バス５０４を介して互いに接続されている。入力／出力（Ｉ／Ｏ）インターフェース５０５もバス５０４に接続されている。
【００７６】
キーボード、マウスなどを含む入力部５０６、陰極線管（ＣＲＴ）、液晶ディスプレイ（ＬＣＤ）など、およびスピーカなどを含む出力部５０７、ハードディスクなどを含む記憶部５０８、およびＬＡＮカード、モデムなどを含むネットワークインターフェースカードの通信部５０９は、Ｉ／Ｏインターフェース５０５に接続されている。通信部５０９は、例えばインターネットのようなネットワークを介して通信処理を実行する。ドライブ５１０は、必要に応じてＩ／Ｏインターフェース５０５に接続される。リムーバブルメディア５１１は、例えば、マグネチックディスク、光ディスク、光磁気ディスク、半導体メモリなどのようなものであり、必要に応じてドライブ５１０に取り付けられ、したがって、ドライブ５１０から読み出されたコンピュータプログラムが必要に応じて記憶部５０８にインストールされる。
【００７７】
特に，本開示の実施例によれば、上記のフローチャートに参照して説明された過程はコンピュータソフトウェアプログラムに実現されても良い。例えば、本開示の実施例はコンピュータ読取可能な媒体にロードされるコンピュータプログラムを含むコンピュータプログラム製品を備える。当該コンピュータプログラムは、フローチャートに示される方法を実行するためのプログラムコードを含む。このような実施例において、当該コンピュータプログラムは、通信部５０９を介してネットワークからダウンロードしてインストールされ、及び／又はリムーバブルメディア５１１からインストールされても良い。当該コンピュータプログラムは、中央処理ユニット（ＣＰＵ）５０１により実行される場合に、本願の実施例の方法に限定される前記機能を実行する。
【００７８】
なお、本願の実施例に記載されたコンピュータ読取可能な媒体は、コンピュータ読取可能な信号媒体、コンピュータ読取可能な記憶媒体、或いは前記両者の任意の組合わせであっても良い。コンピュータ読取可能な記憶媒体は、例えば電気、磁気、光、電磁気、赤外線、半導体のシステム、装置又は部品、或いはこれらの任意の組み合わせであっても良いが、それらに限定されない。コンピュータ読取可能な記憶媒体についてのより具体的な例は、一つ又は複数の導線を含む電気的な接続、携帯可能なコンピュータ磁気ディスク、ハードディスク、ランダムアクセスメモリ（ＲＡＭ）、読取専用メモリ（ＲＯＭ）、消去可能なプログラミング読取専用メモリ（ＥＰＲＯＭ又はフラッシュ）、光ファイバ、携帯可能なコンパクト磁気ディスク読取専用メモリ（ＣＤ−ＲＯＭ）、光学記憶素子、磁気記憶素子、或いは前記任意の適当の組み合わせを含むが、それらに限定されない。本願の実施例において、コンピュータ読取可能な記憶媒体は、プログラムを含むか記憶する任意の有形の媒体であっても良い。当該プログラムは、コマンド実行システム、装置又は部品に使用され、或いはそれらと組み合わせて使用されても良い。本願の実施例において、コンピュータ読取可能な信号媒体は、ベースバンドに伝送され或いはキャリアの一部として伝送され、コンピュータ読取可能なプログラムコードがロードされるデータ信号を含んでも良い。このような伝送されるデータ信号は、各種の形式を採用しても良く、電磁気信号、光信号又は前記任意の適当の組合わせを含むが、それらに限定されない。コンピュータ読取可能な信号媒体は、コンピュータ読取可能な記憶媒体以外の任意のコンピュータ読取可能な媒体であっても良い。当該コンピュータ読取可能な媒体は、コマンド実行システム、装置又は部品に使用され、或いはそれらと組み合わせて使用されるプログラムを送信し、伝播し又は伝送することができる。コンピュータ読取可能な媒体に含まれるプログラムコードは、任意の適当の媒体で伝送されても良く、無線、電線、光ケーブル、ＲＦなど、或いは前記任意の適当の組み合わせを含むが、それらに限定されない。
【００７９】
図面におけるフローチャート及びブロック図は、本願の各実施例によるシステム、方法及びコンピュータプログラム製品により実現可能なシステム構造、機能及び操作を示した。この点において、フローチャート又はブロック図における各ブロックは、一つのユニット、プログラムセグメント、又はコードの一部を表すことができる。前記ユニット、プログラムセグメント、コードの一部には、一つ又は複数の所定のロジック機能を実現するための実行可能なコマンドが含まれる。注意すべきなのは、幾つかの置換としての実現において、ブロックに示される機能は図面に示される順序と異なって発生されても良い。例えば、二つの接続的に表示されるブロックは実際に基本的に併行に実行されても良く、場合によっては逆な順序で実行されても良く、関連の機能に従って決定される。注意すべきなのは、ブロック図及び／又はフローチャートにおける各ブロック、及びブロック図及び／又はフローチャートにおけるブロックの組合わせは、所定の機能又は操作を実行する専用のハードウェアによるシステムで実現されても良く、或いは専用のハードウェアとコンピュータコードの組合わせで実現されても良い。
【００８０】
本願実施例に説明されたユニットは、ソフトウェアの手段で実現されても良く、ハードウェアの手段で実現されても良い。説明されたユニットは、プロセッサに設置されても良い。例えば、受信ユニットと、抽出ユニットと、生成ユニットと、再生ユニットと、を備えるプロセッサとして記載されても良い。これらのユニットの名称は場合によってユニットの自身に対する限定とされない。例えば、受信ユニットは、「ユーザから入力される音声再生要求を受信するユニット」と記載されても良い。
【００８１】
他の局面として、本願の実施例は更に非揮発的なコンピュータ記憶媒体を提供する。当該非揮発的なコンピュータ記憶媒体は、前記実施例に説明された装置に含まれたものであっても良く、端末に実装されずに別途に存在するものであっても良い。前記非揮発的なコンピュータ記憶媒体に一つ又は複数のプログラムが記憶されており、前記一つ又は複数のプログラムが一つのデバイスにより実行されると、前記デバイスに、ユーザから入力された音声再生要求を受信させ、音声再生要求から予約再生タイミングと再生パラメータを抽出させ、再生パラメータに基づいてマルチメディアリストを生成させ、現在のタイミングが予約再生タイミングを満たしていることに応答して、マルチメディアリストにおけるマルチメディアを再生させる。
【００８２】
以上の記載は、本願の好ましい実施例、及び使われている技術的原理の説明に過ぎない。当業者は、本願に係る保護範囲が、上記の技術特徴による特定お組合せからなる技術方案に限定されるものではなく、本発明の趣旨を逸脱しない範囲で、上記技術特徴又は均等の特徴の任意の組合せからなる他の技術方案も含まれることを理解している。例えば、上記特徴と、本願に開示された類似の機能を持っている技術特徴（これらに限定されていない）とを互いに置き換えてなる技術方案も含まれる。
【図１】
2019091014.tif 000003
【図２】
2019091014.tif 000004
【図３】
2019091014.tif 000005
【図４】
2019091014.tif 000006
【図５】
2019091014.tif 000007
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
マルチメディアを再生するための方法であって、
ユーザから入力された音声再生要求を受信するステップと、
前記音声再生要求から、予約再生タイミングと再生パラメータを抽出するステップと、
前記再生パラメータに基いてマルチメディアリストを生成するステップと、
現在のタイミングが前記予約再生タイミングを満たしていることに応答して、前記マルチメディアリストにおけるマルチメディアを再生するステップと、
を含むことを特徴とする方法。
【請求項２】
前記予約再生タイミングは、マルチメディアのソート位置、再生時間及び再生シーンの少なくとも一つを含む、請求項１に記載の方法。
【請求項３】
前記再生パラメータは、マルチメディアのパラメータとして、名称、主な創作者、特定テーマのマルチメディアリスト、興味マルチメディアリスト、語種、スタイル、シーン、感情、主題の少なくとも一つを含む、請求項１に記載の方法。
【請求項４】
前記方法は、
前記音声再生要求に対する返答情報を音声でユーザへフィードバックするステップを更に含む請求項１に記載の方法。
【請求項５】
前記再生パラメータに基いて再生すべき曲リストを生成するステップは、
マルチメディアの時間的な熱度と、ユーザ画像と、ユーザの好みのフィードバックデータとの少なくとも一つ、及び前記再生パラメータに基いて再生すべき曲リストを生成することを含む請求項１に記載の方法。
【請求項６】
前記音声再生要求に対する返答情報を音声で前記ユーザへフィードバックするステップは、
マルチメディアリストの生成に応答して、コマンド情報を受け取ったことを音声でフィードバックするステップと、
前記音声再生要求から再生パラメータが抽出できなかったこと、或いは前記再生パラメータに基いて再生すべき曲リストが生成できなかったことの何れか一つに応答して、ユーザが関連の曲を見つけなかったことを音声でフィードバックするステップと、
マルチメディアミュージックライブラリに前記再生パラメータを満たしているマルチメディアバージョンがないことに応答して、前記ユーザから再生するように要求されたマルチメディアに版権がないことを音声でフィードバックするステップと、
のうちの少なくとも一つを含む請求項４に記載の方法。
【請求項７】
前記ユーザから入力された音声再生要求を受信するステップは、
ユーザから入力されたウェークアップコマンドを受信するステップと、
返答情報を音声でフィードバックし、ユーザから入力された音声再生要求を受信するステップとを含む請求項１に記載の方法。
【請求項８】
マルチメディアを再生するための装置であって、
ユーザから入力された音声再生要求を受信する受信ユニットと、
前記音声再生要求から、予約再生タイミングと再生パラメータを抽出する抽出ユニットと、
前記再生パラメータに基いてマルチメディアリストを生成する生成ユニットと、
現在のタイミングが前記予約再生タイミングを満たしていることに応答して、前記マルチメディアリストにおけるマルチメディアを再生する再生ユニットと、を備えることを特徴とする装置。
【請求項９】
前記抽出ユニットにより抽出された予約再生タイミングは、マルチメディアのソート位置、再生時間と再生シーンの少なくと一つを含む請求項８に記載の装置。
【請求項１０】
前記抽出ユニットにより抽出された前記再生パラメータは、マルチメディアのパラメータとして、名称、主な創作者、特定テーマのマルチメディアリスト、興味マルチメディアリスト、語種、スタイル、シーン、感情、主題の少なくとも一つを含む請求項８に記載の装置。
【請求項１１】
前記装置は、
前記音声再生要求に対する返答情報を音声でユーザへフィードバックするフィードバックユニットを更に備える請求項８に記載の装置。
【請求項１２】
前記生成ユニットは、更に、
マルチメディアの時間的な熱度と、ユーザ画像と、ユーザの好みのフィードバックデータとの少なくとも一つ、及び前記再生パラメータに基いて再生すべき曲リストを生成する請求項８に記載の装置。
【請求項１３】
前記フィードバックユニットは、更に、
マルチメディアリストの生成に応答して、コマンド情報を受け取ったことを音声でフィードバックし、
前記音声再生要求から再生パラメータが抽出できなかったこと、或いは前記再生パラメータに基いて再生すべき曲リストが生成できなかったことの何れか一つに応答して、ユーザが関連の曲を見つけなかったことを音声でフィードバックし、
マルチメディアミュージックライブラリに前記再生パラメータを満たしているマルチメディアバージョンがないことに応答して、前記ユーザから再生するように要求されたマルチメディアに版権がないことを音声でフィードバックすること、
のうちの少なくとも一つを行う請求項１２に記載の装置。
【請求項１４】
前記受信ユニットは、
ユーザから入力されたウェークアップコマンドを受信するウェークアップサブユニットと、
返答情報を音声でフィードバックするフィードバックサブユニットと、
ユーザから入力された音声再生要求を受信する受信サブユニットと、を備える請求項８に記載の装置。
【請求項１５】
一つ又は複数のプロセッサと、
一つ又は複数のプログラムが記憶されている記憶装置と、を備え、
前記一つ又は複数のプログラムが前記一つ又は複数のプロセッサにより実行されると、前記一つ又は複数のプロセッサに請求項１ないし請求項７の何れか一つに記載のマルチメディアを再生するための方法を実現させることを特徴とするデバイス。
【請求項１６】
コンピュータプログラムが記憶されており、当該プログラムがプロセッサにより実行されると、請求項１ないし請求項７の何れか一つに記載の前記マルチメディアを再生する方法を実現させるコンピュータ読取可能な記憶媒体。
【請求項１７】
プロセッサにより実行されると、請求項１ないし請求項７のいずれか一項に記載の方法を実現させるコンピュータプログラム。
【手続補正２】
【補正対象書類名】明細書
【補正対象項目名】００２２
【補正方法】変更
【補正の内容】
【００２２】
以下の図面による非限定的な実施例についての詳細な説明を読み、参照することにより、本願の他の特徴、目的及び利点がより明らかになる。
【図１】本出願が適用される例示的なシステムアーキテクチャ図である。
【図２】本出願のマルチメディアを再生する方法による一つの実施例の例示的なフローチャートである。
【図３】本出願のマルチメディアを再生する方法による一つの応用シーンの例示的なフローチャートである。
【図４】本出願のマルチメディアを再生する装置による一つの実施例の例示的な構成図である。
【図５】本出願を実現するのに適する端末デバイス又はサーバのコンピュータシステムの構造の模式図である。
【外国語明細書】
2019091014000001.pdf
2019091014000002.pdf
2019091014000003.pdf
2019091014000004.pdf